(57)【要約】      （修正有）【課題】倒立或いは倒立に近い状態に保持した場合においても、常に、粘稠な内容物の排出を速やかに行うことが可能な粘稠物質用小容量容器を提供する。【解決手段】内容量が３００ｍｌ以下の粘稠物質用小容量容器において、該容器の胴部内面が非対称形状の異形側断面部を有していることにより、胴部１の内面には内容物の落下速度に差が生じる部位が存在し、従って、内容物１０の落下が均等でないため、内容物１０と底部５との間の空気層１３は、内容物１０の厚みが薄い側（落下速度が遅い１ｂ側）から容易に抜けることとなり、従って、容器内に内容物１０がとどまって排出困難となるという不都合が有効に回避される。【選択図】図１
2018154364.tif 000002
【特許請求の範囲】
【請求項１】
内容量が３００ｍｌ以下の小容量容器において、該容器の胴部内面は、非線対称形状の異形側断面部を有していることを特徴とする粘稠物質用小容量容器。
【請求項２】
粘度（２５℃）が８Ｐａ・ｓ以上の粘稠なペースト状内容物の収容に使用される請求項１に記載の粘稠物質用小容量容器。
【請求項３】
前記内容物が食品、医薬品、歯磨き粉である請求項２に記載の粘稠物質用小容量容器。
【請求項４】
中空成形容器である請求項１〜３の何れかの粘稠物質用小容量容器。
【発明の詳細な説明】
【技術分野】
【０００１】
本発明は、内容量が３００ｍｌ以下の粘稠物質用小容量容器に関するものであり、特に高粘性の流動体が収容される粘稠物質用小容量容器に関する。
【背景技術】
【０００２】
液状内容物が収容される容器では、容器の材質を問わず、内容物に対する排出性が要求される。水のように粘性の低い液体を収容する場合では、このような排出性はほとんど問題とならないが、例えば、マヨネーズやケチャップのように粘度の高い粘稠な物質では、プラスチック製容器であろうがガラス製容器であろうが、内容物が速やかに排出され、しかも、容器内に残存することなく、最後まで使い切ることができるようにすることが求められている。
【０００３】
ところで、上記のような排出性に関しては、容器等の成形体の表面に油膜を形成するという手段が種々提案されている（例えば特許文献１，２）。このような油膜の形成により、粘稠な物質に対する滑り性が高められ、その排出性が向上するというものである。
【０００４】
しかしながら、小容量の容器に特に粘稠な内容物が収容されているときには、内容物の排出が困難になることがあった。即ち、内容物排出のために、容器を倒立状態に保持したときに、内容物が取り出し口に到達する前に、容器内にとどまった状態となってしまうのである。
【先行技術文献】
【特許文献】
【０００５】
【特許文献１】ＷＯ２０１２／１０００９９
【特許文献２】ＷＯ２０１３／０２２４６７
【発明の概要】
【発明が解決しようとする課題】
【０００６】
従って、本発明の目的は、倒立或いは倒立に近い状態に保持した場合においても、常に、粘稠な内容物の排出を速やかに行うことが可能な粘稠物質用小容量容器を提供することにある。
【課題を解決するための手段】
【０００７】
本発明によれば、内容量が３００ｍｌ以下の粘稠物質用小容量容器において、該容器の胴部内面は、非対称形状の異形側断面部を有していることを特徴とする粘稠物質用小容量容器が提供される。
【０００８】
本発明の粘稠物質用小容量容器は、
（１）粘度（２５℃）が８Ｐａ・ｓ以上の粘稠なペースト状内容物の収容に使用されること、
（２）該内容物が食品、医薬品、歯磨き粉であること、
が好適である。
【発明の効果】
【０００９】
本発明の粘稠物質用小容量容器は、その胴部の側断面において、その内面が非対称の異形側断面となる部分を有していることが重要な特徴である。即ち、このような異形側断面部が胴部に形成されている粘稠物質用容器では、これを倒立して内容物を排出したとき、胴部から速やかに排出される部分と排出に時間がかかる部分とが存在する。このため、このような速度差によって容器の底部に内容物によって閉じ込められた空気が容易に排出されることとなり、この結果として、内容物が粘稠なペースト状のもの、例えば粘度（２５℃）が８Ｐａ・ｓ以上の粘稠なペースト状物であったとしても、容器内にとどまることなく、その排出を常に容易に行うことが可能となる。
【図面の簡単な説明】
【００１０】
【図１】本発明の粘稠物質用少小容量容器の概略構造を内容物と共に示す図であり、（ａ）は概略側断面図であり、（ｂ）がＸ平断面図である。
【図２】従来公知の小容量容器の概略構造を示す図であり、（ａ）は概略側断面図であり、（ｂ）がＸ平断面図である。
【発明を実施するための形態】
【００１１】
図１を参照して、本発明の粘稠物質用小容量容器は、倒立状態で示されており、中空筒状の胴部１を備えており、胴部１の一方側端部には、内容物の排出口となる首部３が形成されており、他方側端部は、底部５によって閉じられている。
また、容器の形態によっても異なるが、首部３の外面には、キャップにて封止するための螺子７が形成されている。
【００１２】
このような本発明の粘稠物質用小容量容器において、その内容量は３００ｍｌ以下、特に１５０ｍｌ以下である。即ち、このような小容量のものは、軽量であることから、図１に示されているように、容器を倒立或いは倒立に近い状態に保持して内容物の排出を行うことがあり、このときに内容物の排出が困難となる事態を生じ易いが、大容量容器では、重く、しかも把手が付いている場合が多いことなどから、容器を倒立或いはそれに近い状態に保持することはなく、内容物の排出性が問題となることはないからである。
【００１３】
本発明において、特に図１（ａ）に示されているように、胴部１の内面に、異形側断面部分が形成されていることが重要である。即ち、このような異形断面部では、内容物の落下に速度差が生じる。例えば、図１（ａ）の例では、胴部１の一方側の内面１ａは、ストレートに近い形状の面となっており、他方側の内面１ｂは、大きな曲線部分を含んでいる。この結果、内容物１０は、内面１ａ側において落下速度が速く、内面１ｂ側での落下速度は遅い。
【００１４】
一方、図２は、従来公知の小容量容器の形態を倒立状態で示す図であるが、この図２から理解されるように、側断面形状は、容器の長手方向軸線に対して対称な線対称形状であり、異形断面部分を有していない。
即ち、このような容器では、これを図２（ａ）に示されているように倒立状態に保持して内容物１０を排出すると、内容物１０が胴部１の内面に沿って均等に落下するため、首部３の開口部に到達する前に、容器内にとどまった状態に保持されてしまう。このような状態では、内容物１０と底部５との間に空気層１３が閉じ込められてしまい、空気層１３の圧よりも大気圧の方が大きいため、内容物１０が容器内にとどまったままの状態となり、その排出が困難となってしまう。
【００１５】
しかるに、本発明によれば、図１（ａ）に示されているように異形断面部が形成され、胴部１の内面には、内容物の落下速度に差が生じる部位が存在している。従って、内容物１０の落下が均等でないため、内容物１０と底部５との間の空気層１３は、例えば、内容物１０の厚みが薄い側（落下速度が遅い１ｂ側）から容易に抜けることとなり、従って、容器内に内容物１０がとどまって排出困難となるという不都合が有効に回避される。
【００１６】
本発明において、上記のような異形断面部の形態は、内容物１０の落下速度に差が生じるような形態であれば特に制限されず、どのような形態であってもよいが、通常、容器の軸方向に対して段差が有するような形態は避けることが好ましい。この段差部分に内容物１０の一部がとどまって排出され難くなってしまうことがあるからである。
一般的には、内容物１０の落下速度が速い側１ａは、直線もしく直線に近い形態、或いは曲線の中にクロソイド曲線のような曲線部を設け、他方の内容物１０の落下速度が遅い側１ｂは、大きな曲線部、例えばサイクロイド曲線を含むようにすることにより、異形断面部を形成すればよい。
【００１７】
また、図１（ａ）に示されているような形態、即ち、内容物１０の落下速度が速い側１ａと内容物１０の落下速度が遅い側１ｂとが互いに対向する位置に存在する形態に限定されず、１ａと１ｂとが近い位置に存在するような形態であってもよい。
【００１８】
上述した異形断面部を有する本発明の粘稠物質用小容量容器は、原理的には、異形断面部が形成されているという条件を満足する限りにおいて、プラスチック、ガラス、金属等の任意の材料で形成されていてよいが、実際は、成形上の観点からプラスチック製であることが望ましい。
また、容器の形態も特に制限はされないが、好適には、中空成形により形成され、内容物を排出する開口が大きくないボトルやチューブなどの形態を有していることが最も好適である。即ち、内容物を排出する開口が広口容器やカップなどでは、内容物１０の排出性に問題は生じないからである。
例えば、図１の例では、ブロー成形容器の形態が示されているが、チューブ容器であってもよい。
【００１９】
さらに、本発明において、容器に収容する内容物としては、粘性の高い粘稠なペースト状物、具体的には、粘度（２５℃）が８Ｐａ・ｓ以上の粘稠なペースト状内容物の収容に使用されることが好適である。このようなペースト状内容物には、ゲルのような形態を有するものが多く、各種食品類に限らず、医薬品、歯磨き粉などがある。
【００２０】
本発明の粘稠物質用小容量容器は、倒立による内容物の排出性に優れており、これを利用して各種の用途に広く使用される。
【符号の説明】
【００２１】
１：胴部
３：首部
５：底部
１０：内容物
１３：空気層
【図１】
2018154364.tif 000003
【図２】
2018154364.tif 000004